(57)【要約】【課題】本発明は、コンタクトレンズケースである。通常は、コンタクトレンズを使用するたびにコンタクトレンズ保存液を交換するが、数回分のコンタクトレンズ保存液交換を、一度に行えるコンタクトレンズケースを提供する。【手段】コンタクトレンズケース本体（１）に、コンタクトレンズを２枚以上保存できるスペースを設ける。コンタクトレンズケース本体（１）に、凸部分（４）と凹穴（５）を設け、数個のコンタクトレンズケース本体（１）を、連結できるようにする。【選択図】図１
2008253726.tif 000002
【特許請求の範囲】
【請求項１】
ケース本体（１）に、３枚以上のコンタクトレンズを保存するスペースがあるコンタクトレンズケース。
【請求項２】
コンタクトレンズケース本体（１）に凸部分（４）と凹穴（５）を設けた、数個の本体（１）を連結できるコンタクトレンズケース。
【請求項３】
液入槽（３）に、受け皿（２）を取り付けたコンタクトレンズケース。
【請求項４】
液入槽（３）に、容易に取り付け、取り外しが出来る、足部位（１０）を設けた接合部分。
【発明の詳細な説明】
【技術分野】
【０００１】本発明は、コンタクトレンズを保管するためのものであって、数日間分のコンタクトレンズ保存液交換を、一度に行えるコンタクトレンズケースに関するものである。
【発明の開示】
【発明が解決しようとする課題】
【０００２】従来のコンタクトレンズケースは、１個のケースにコンタクトレンズ２枚分の収納スペースしかなく、コンタクトレンズを外すたびに保存液を入れ変える手間がある。【０００３】従来のコンタクトレンズケースは、コンタクトレンズ自体を収納（保存）するスペースが広いものもあり、ケースが大きく、２個以上ケースを持っているとかさばる。【０００４】従来のコンタクトレンズケースは、１ケースづつで使用するものなので、ケースを２つ以上持っていると、コンタクトレンズをどのケースに入れたか分からなくなる。【０００５】従来のコンタクトレンズケースの蓋は、ほとんどがネジ式で開け閉めするため、時間がかかる。
【課題を解決するための手段】
【０００６】コンタクトレンズケース本体（１）に、コンタクトレンズを２枚以上保存できるスペースを設ける。【０００７】コンタクトレンズケース本体（１）に、凸部分（４）と凹穴（５）を設け、数個のコンタクトレンズケース本体（１）を凹穴（５）に凸部分（４）をさし込むことによって、連結できるようにする。【０００８】コンタクトレンズケース本体（１）をコンパクトにするために、コンタクトレンズを保存するスペースを小さくする。【０００９】コンタクトレンズを保存するスペースを小さくするため、保存液を入れる液入槽（３）にコンタクトレンズをのせる受け皿（２）を設け、指先でコンタクトレンズに触れ、取り出せるようにする。【００１０】受け皿（２）に穴（６）を設け、コンタクトレンズ保存液がコンタクトレンズ全体に行きわたるようにする。【００１１】ケースを衛生的に保つため、受け皿（２）と本体（１）を簡単に取り外して掃除を行えるようにする。以下、その方法。
（イ）受け皿（２）に吸盤（７）を設け、本体（１）に張り付けて固定する。
（ロ）受け皿（２）と本体（１）に、接合部Ｒ（８）と接合部Ｆ（９）を設け、差し込んで固定する。
（ハ）受け皿（２）の足部位（１０）を液入槽（３）の内壁に接触させ、その摩擦で固定する。【００１２】手軽に蓋を開け閉め出来るように、本体（１）に、はめ込む、蓋（１１）にする。【００１３】コンタクトレンズ保存液が漏れないように、蓋（１１）と本体（１）の間に、パッキン（１２）をはさむ、あるいは、本体（１）と蓋（１１）のはめ合い部分を、Ｎの幅よりＭの溝を少し狭めて、コンタクトレンズ保存液が漏れないようにする。
【発明の効果】
【００１４】本発明は、コンタクトレンズ保存液を毎日入れ替える手間を軽減し、出先などにコンタクトレンズ保存液をボトルで持っていく必要のない、手軽でかさばらないコンタクトレンズケースである。【００１５】本発明の受け皿（２）は、コンタクトレンズケースをコンパクトにでき、形状がシンプルなので掃除しやすく、衛生的に使える従来にない保存部分である。
【発明を実施するための最良の形態】
【００１６】２個以上のコンタクトレンズケースを連結することが出来るように、コンタクトレンズケース本体（１）に凸部分（４）と凹穴（５）を設け、本体（１）の凹穴（５）に別の本体（１）の凸部分（４）をさし込むことによって２個以上の本体（１）を接合できるようにする。【００１７】本体（１）にコンタクトレンズを、２枚以上保存できるスペースを設ける。【００１８】コンタクトレンズを保存するためのスペース、液入槽（３）に、コンタクトレンズをのせる受け皿（２）を取り付け、指先で軽く触れるだけでレンズを取り出せるようにし、コンタクトレンズを保存するスペースを小さくする。【００１９】コンタクトレンズ全体に、コンタクトレンズ保存液が浸るように、受け皿［２］に穴［６］を設ける。【００２０】コンタクトレンズケース本体（１）と、受け皿（２）を接合させるために、又、容易に取り外すために、受け皿（２）に吸盤（７）を設ける。【００２１】コンタクトレンズケース本体（１）と、受け皿（２）を接合させるために、又、容易に取り外すために、本体（１）と受け皿（２）に接合部Ｒ（８）と、接合部Ｆ（９）を設ける。【００２２】コンタクトレンズケース本体（１）と、受け皿（２）を接合させるために、又、容易に取り外すために、液入槽（３）の内壁に接触する長さの足部位（１０）を設ける。【００２３】蓋（１１）をはめ込み式にして、コンタクトレンズ保存液が漏れないように、本体（１）との間にパッキン（１２）を設ける。【００２４】蓋（１１）をはめ込み式にして、コンタクトレンズ保存液が漏れないように、Ｎの幅より少し狭いＭの溝を設ける。
【実施例】
【００２５】コンタクトレンズを４枚収納できる本体（１）を３個用意し、それらを連結させる。
すべての液入槽（３）に、コンタクトレンズ保存液を入れ蓋（１１）をする。
コンタクトレンズを収納、又は取り出す時に、必要な所の蓋（１１）を開けコンタクトレンズを出し入れする。
右目用、左目用各１枚づつのコンタクトレンズを、１日１回出し入れするとして、計６日分のコンタクトレンズ保存スペースを１度に用意することができる。
又、使用した所の蓋（１１）を外しておけば、次に使う際、どこにコンタクトレンズを収納できるかがすぐに分かる。【００２６】本体（１）の凸部分（４）と凹穴（５）を、前後や左右など、好きな所に設ければ、本体（１）をいろいろな形状に連結させることができ、連結した本体（１）を置いておく棚などの、ケース本体（１）を置いておくスペースの形状に合わせることができる。
【図面の簡単な説明】
【図１】本発明の斜視図
【図２】本発明の図１対面斜視図
【図３】図２中のａ断面、Ａ矢視図
【図４】本発明の受け皿（２）の上面拡大図
【図５】本発明の本体（１）と受け皿（２）の一部拡大図
【図６】本発明の本体（１）と受け皿（２）の一部拡大図
【図７】本発明の足部位（１０）付き受け皿（２）の斜視図
【図８】本発明の本体（１）と受け皿（２）の一部拡大図
【図９】本発明の蓋付き斜視図
【図１０】本発明の本体（１）と蓋（１１）断面図
【符号の説明】
（１）本体、（２）受け皿、（３）液入槽、（４）凸部分、（５）凹穴、（６）穴、（７）吸盤、（８）接合部Ｒ、（９）接合部Ｆ、（１０）足部位、（１１）蓋、（１２）パッキン、
（Ｍ、Ｎ）蓋の溝と、その溝のはめ込み部分
【図１】
2008253726.tif 000003
【図２】
2008253726.tif 000004
【図３】
2008253726.tif 000005
【図４】
2008253726.tif 000006
【図５】
2008253726.tif 000007
【図６】
2008253726.tif 000008
【図７】
2008253726.tif 000009
【図８】
2008253726.tif 000010
【図９】
2008253726.tif 000011
【図１０】
2008253726.tif 000012